(57)【要約】【課題】  一般に、縁なし眼鏡はレンズがめがね枠の一部として構成されるため、眼鏡をかけているとき、あるいは眼鏡を着脱するときに、耳掛けの部分に外方へ拡げる方向の曲げ力がレンズに作用する。そのため、前記縦方向の長さを短くした老眼用の縁なし眼鏡ではレンズ自体の強度が低下しているので、レンズがガラス製であれば破損し易かったり、合成樹脂製であればレンズが変形したりする不具合が一層顕著になるという欠点があった。さらに、眼鏡の製作に際し、眼鏡枠にレンズの位置を規制するレンズ枠がないので、眼鏡枠とレンズとの関係位置を正確に固定する作業が難しかった。【解決手段】  左右のレンズを連結するレンズ支持枠と、左右の眼鏡蔓に連結される前面枠とを別個に有し、前記レンズ支持枠を前面枠の下面に対して着脱可能に連結したものである。【選択図】図１
2010097058.tif 000002
【特許請求の範囲】
【請求項１】
左右のレンズを連結するレンズ支持枠と、左右の眼鏡蔓に連結される前面枠とを別個に有し、前記レンズ支持枠を前面枠の下面に対して着脱可能に連結してなる老眼用縁なし眼鏡。
【請求項２】
請求項１において、前記レンズ支持枠は金属製の板材からなり、前記前面枠の下面にボルト留めされるとともに、中央に設けた鼻逃げ凹部の両側に鼻当てと２個づつの係合突起とを設け、この係合突起をレンズに水平方向に配置された少なくとも２個の係合孔に係止させてなる老眼用縁なし眼鏡。
【請求項３】
請求項２において、前記前面枠に設けた係合突起とレンズに設けた係合孔との位置は、レンズの光軸を標準の眼球間距離に合わせて設定されている老眼用縁なし眼鏡。
【請求項４】
請求項１において、前記左右のレンズは下側に水平方向の平面を形成してなる老眼用縁なし眼鏡。
【発明の詳細な説明】
【技術分野】
【０００１】
本発明は老眼用縁なし眼鏡、とくに、近視用のレンズを通して遠方を見ることと、レンズの下側から本や新聞を直接に裸眼で見ることとに兼用される遠近両用の眼鏡に関するものである。
【背景技術】
【０００２】
従来、この種の用途に供される眼鏡のレンズは、裸眼で見る視野を拡大するため、前方を正視するときの目線のやや下側から下半分を切除した縦方向の短い形状にしたものが知られている（特許文献１参照）。そして、このように、縦方向の短いレンズを使用するときは、レンズの周囲を囲繞する円形のレンズ枠を持つ眼鏡枠の使用が困難なため、レンズの周囲にレンズ枠のない、いわゆる、枠なし眼鏡として供されることが多い。
【０００３】
一般に、縁なし眼鏡はレンズがめがね枠の一部として構成されるため、眼鏡をかけているとき、あるいは眼鏡を着脱するときに、耳掛けの部分に外方へ拡げる方向の曲げ力がレンズに作用する。
【０００４】
そのため、前記縦方向の長さを短くした老眼用の縁なし眼鏡ではレンズ自体の強度が低下しているので、レンズがガラス製であれば破損し易かったり、合成樹脂製であればレンズが変形したりする不具合が一層顕著になるという欠点があった。
【０００５】
さらに、眼鏡の製作に際し、眼鏡枠にレンズの位置を規制するレンズ枠がないので、眼鏡枠とレンズとの関係位置を正確に固定する作業が難しかった。すなわち、眼鏡枠が予定している光軸の位置とレンズの光軸とを一致させる作業が容易でなく、製作に多くの時間を要する不具合があった。
【特許文献１】特公平８−７３３４号公報
【発明の開示】
【発明が解決しようとする課題】
【０００６】
発明が解決しようとする問題点は、製造が容易で、かつ、使用に際して眼鏡枠に作用する外力がレンズに作用しないよう構成された縁なしの老眼用眼鏡を得ることである。
【課題を解決するための手段】
【０００７】
本発明は、左右のレンズを連結するレンズ支持枠と、左右の眼鏡蔓に連結される前面枠とを別個に有し、前記レンズ支持枠を前面枠の下面に対して着脱可能に連結することを最も主要な特徴とする。
【発明の効果】
【０００８】
本発明に係る老眼用縁なし眼鏡は、従来は一体に作られていたレンズ支持枠と、前面枠とを別体として構成したから視界の広いレンズ枠のないレンズを用いているにも拘らず、眼鏡を着脱する際に蔓に作用する外力が直接にレンズへ伝わることがなく、その損傷を回避できる利点がある。
【０００９】
また、左右の眼鏡蔓に弾力のある軟質材料を採用しても、眼鏡蔓の歪みが左右のレンズの関係位置に狂いを生じることがなく正確に保つことができる。
【００１０】
さらに、レンズ支持枠は前面枠の下面に着脱可能に取り付けられているから、それらを結合するボルトが外観に表れず眼鏡の美観を損ねることがない、などの効果がある。
【実施例１】
【００１１】
以下、本願発明の実施例を図面によって説明する。図１中、１０は老眼用の縁なし眼鏡である。老眼用の縁なし眼鏡１０は装着者の顔面に位置して柔軟性のある合成樹脂で作られ左右方向に向けて略水平に設けられた前面枠１２を有する。
【００１２】
その前面枠１２は中央部に装着者の顔面に沿った弧状をなし、中央部に鼻と干渉しないための凹所１４が形成されている。そして、前面枠１２の両端部には周知の耳かけ蔓１６、１６が小さな折畳みねじ１５、１５によって折り畳み可能に取り付けられている。
【００１３】
１８、１８は左右のレンズであり近視矯正用である。左右のレンズ１８、１８は円形をしたレンズ材料の周縁を略四角形に切除し、上側を通常の縁なし眼鏡と同様に大きな円弧からなる上縁１８ｃと直線状をした下縁１８ｄとの比較的長い２辺と、内縁１８ｅ、外縁１８ｆからなる比較的短い２辺とを有する略長方形に作られ、その光軸Ｌは図３で示すように、前記下縁１８ｄに接近している。よって、前方を正視するときはこのレンズ１８、１８によって矯正した視力が得られ、前記下縁１８ｄの下側から下方においた本や新聞などを接近視力のよい裸眼（老眼）の視力で見ることができる。
【００１４】
２０は左右のレンズ１８、１８を連結するためのレンズ支持枠である。レンズ支持枠２０はステンレスその他の薄い不錆性の金属板からなり、図２で示すように、比較的幅の広い中央部２０ａから左右方向へ突角２０ｂ、２０ｂが突出する大略半円形となっている。２０ｃは前記中央部２０ａが眼鏡装着者の鼻と干渉しないように形成した凹所である。
【００１５】
前記突角２０ｂ、２０ｂには端部近傍に装着者の顔面へ向けて細い突起２０ｄの２個が一体的に形成されており、近視用に矯正された左右のレンズ１８、１８に設けた取付け孔１８ａ、１８ａに嵌挿して接着、あるいは溶着することによってレンズが回転しないように固定してある。また、突角２０ｂ、２０ｂの根部後面には、周知の鼻当て２４、２４の一対が支脚２４ａ、２４ａを介して取り付けられている。
【００１６】
前記前面枠１２は凹所１４をなす部分の下側が略水平な平面となっており、そこには前記レンズ支持枠２０が２本の小さなボルト２２、２２によって着脱可能に取り付けられている。かくて、図３で示すように、左右のレンズ１８、１８は前面枠１２の下側に位置し、前面枠１２と同様顔面に沿って平面視が八の字形に取り付けられる。
【００１７】
以上のように、この実施例に示す老眼用の、縁なし眼鏡であるにも拘らず左右のレンズ１８、１８と前面枠１２とは、レンズ支持枠２０を介して間接的に連結され、直接に結合される部分がないから、縁なし眼鏡１０を着脱する際に図３中、仮想線で示すように、左右の耳かけ蔓１６、１６間の間隔が拡大されても、それによって前面枠１２に生じる応力が左右のレンズ１８、１８へ直接に作用することがなく、レンズの損傷や歪の発生がない。
【００１８】
また、前面枠１２が顔の前面を通っていても、左右のレンズ１８、１８は前面枠１２の下側に配置され上下方向に隔たっているのでなんら視野を狭めることもない。さらに、前面枠１２とレンズ支持枠２０とを結合する２本のボルト２２、２２の軸線は、下側から上側へと伸びているので、そのボルト１５、１５が前側からは見え難くいから、それが眼鏡の外観を損ねるおそれがない。
【００１９】
縁なし眼鏡１０の組立方法を図４で示す正面図を用いて説明する。組立には、まず、レンズ支持台３０の上に左右のレンズ１８、１８を前記したように平面視で八の字形に位置決めして載せる。
【００２０】
ついで、レンズの取付孔１８ａ、１８ａへレンズ支持枠２０に設けた細い突起２０ｄの２個を嵌合させ、左右のレンズ１８、１８の水平な下面１９、１９と前記レンズ支持台３０との間にガタツキのないことを確認して、突起２０ｄと取付孔１８ａとを接着し、あるいは前記突起２０ｄに熱可溶性のワッシャを嵌め、これを熱で溶かすことによって不動不離に結合する。
【図面の簡単な説明】
【００２１】
【図１】本発明の実施方法を示す老眼用縁なし眼鏡の外観図である。
【図２】図１で示す老眼用縁なし眼鏡の分解図である。
【図３】図１で示す老眼用縁なし眼鏡の平面図である。
【図４】その正面図である。
【符号の説明】
【００２２】
１０    老眼用の縁なし眼鏡
１２    前面枠
１４    凹所
１５    折畳みねじ
１６    耳かけ蔓
１８、１８    左右のレンズ
１８ａ、１８ａ    取付け孔
１９    水平な下面
２０    レンズ支持枠
２０ａ    中央部
２０ｂ    突角
２０ｃ    凹所
２０ｄ    細い突起
２２、２２    ボルト
２４    鼻当て
２４ａ    支脚
３０    レンズ支持台
１８ｃ    上縁
１８ｄ    下縁
１８ｅ    内縁
１８ｆ    外縁
Ｌ    光軸（アイポイント）
【図１】
2010097058.tif 000003
【図２】
2010097058.tif 000004
【図３】
2010097058.tif 000005
【図４】
2010097058.tif 000006